(57)【要約】【課題】装置側リールに巻かれる磁気テープに、段差や盛り上がりが生じ難くなり、テープ写りが軽減できる磁気テープカートリッジを提供し、これに起因するドロップアウト等を軽減する。【解決手段】磁気テープ２３を巻装したカートリッジ側リール２５をカートリッジケース２１内に回転可能に収容してなる磁気テープカートリッジ１００において、磁気テープ２３の先端に、この磁気テープ２３を先導して磁気記録再生装置に引き出されるリーダーピン２９を、リーダー２７を介して接合すると共に、リーダーピン２９と磁気テープ２３との間に介在させたリーダー２７を複数本の線体で形成した。【選択図】  図１
2004171707.tif 000002
【特許請求の範囲】
【請求項１】
磁気テープを巻装したカートリッジ側リールをカートリッジケース内に回転可能に収容してなる磁気テープカートリッジであって、
前記磁気テープの先端に、該磁気テープを先導して磁気記録再生装置に引き出されるリーダーピンがリーダーを介して接合されてなり、前記リーダーが複数本の線体からなることを特徴とする磁気テープカートリッジ。
【発明の詳細な説明】
【０００１】
【発明の属する技術分野】
本発明は、カートリッジケースに磁気テープを巻装した単一のカートリッジ側リールを回転可能に収容してなる磁気テープカートリッジに関する。
【０００２】
【従来の技術】
従来、コンピュータ等の外部記憶装置に用いられる記録媒体として使用されている磁気テープカートリッジには、例えば単一のリールに磁気テープを巻装し、このリールをカートリッジケース内に回転可能に収容したタイプのものが知られている。
【０００３】
この出願の発明に関連する先行技術文献情報としては次のものがある。
【特許文献１】
特開２００１−１１０１６４号公報
【０００４】
上記特許文献１に開示される磁気テープカートリッジ１は、図６に示すように、上ケース２ａと下ケース２ｂとがビス等により締結されてなるカートリッジケース２内に、磁気テープ３を巻装した単一のリール４が回動可能に収容されている。磁気テープ３の先端には、終端にリーダーピン５（リーダー部材）が固着された補強用としてのリーダーテープ７がスプライシングテープ９を介して延長接合されている。そして、上記カートリッジケース２の一側壁には、磁気テープ３を引き出すための開口部２ｃが形成され、この開口部２ｃは図示しない弾性手段で閉方向に付勢されたスライドドア６により開閉される。また、上記磁気テープカートリッジ１はその不使用時に磁気テープ３及びリーダーテープ７が完全にリール４に巻き込まれた状態で、終端のリーダーピン５が開口部２ｃの近傍に形成された凹状の格納部２ｄに係止される。
【０００５】
このように構成された磁気テープカートリッジ１は、リーダーテープ７の先端に固着されたリーダーピン５を、記録再生装置側の保持部材で保持して引き出し、記録再生装置のマシンリールに係止して巻取ることで、磁気テープ３のロード／アンロード（引き出し／巻き込み）を行うようにドライブ装置が構成される。
【０００６】
【発明が解決しようとする課題】
しかしながら、上記した磁気テープカートリッジのように、磁気テープの先端にリーダーテープが接合される場合には、図７に示すように、磁気テープとリーダーテープ７との接合部分に、両者の厚みの差に応じた段差が発生する。この段差は、スプライシングテープ９が用いられることによっても一層大きくなる。また、リーダーピン５を固定するリーダーブロック１１と装置側リールのハブ１３との境界で盛り上がることで段差が発生する。
このように装置側リールに巻き付けられた際に段差が生じた状態で、次々と磁気テープが巻かれると、この段差形状に沿って磁気テープが変形する所謂「テープ写り」が発生し、磁気ヘッドに対する接触状態が変化する。これが、適切なデータの書き込み及び読み出しが行えないドロップアウト等が発生する原因となり、磁気記録品質上の欠陥を発生させる問題があった。
本発明は上記状況に鑑みてなされたもので、装置側リールに巻かれる磁気テープに、段差や盛り上がりが生じ難くなり、当該部分が磁気テープに写ってしまう所謂テープ写りが軽減できる磁気テープカートリッジを提供し、これに起因するドロップアウト等の軽減を図ることを目的とする。
【０００７】
【課題を解決するための手段】
上記目的を達成するための本発明に係る請求項１記載の磁気テープカートリッジは、磁気テープを巻装したカートリッジ側リールをカートリッジケースに回転可能に収容してなる磁気テープカートリッジであって、前記磁気テープの先端に、該磁気テープを先導して磁気記録再生装置に引き出されるリーダーピンがリーダーを介して接合されてなり、前記リーダーが、複数本の線体からなることを特徴とする。
【０００８】
この磁気テープカートリッジでは、磁気テープを先導して磁気記録再生装置に引き出すリーダーが複数本の線体からなり、従来のように磁気テープより厚いリーダーテープを使用する場合に比べ、段差や盛り上がりが生じ難くなる。これにより、当該部分が磁気テープに写ってしまう所謂テープ写りが軽減される。
【０００９】
また、前記磁気テープカートリッジは、前記線体がφ５〜２０μｍの太さを有するアラミド繊維とすることで、線体に所要の強度を確保しつつ、線体の上に巻かれる磁気テープに段差や盛り上がりを生じ難くできる。
【００１０】
さらに、前記磁気テープカートリッジの磁気テープ巻き取り構造は、磁気テープカートリッジから引き出された磁気テープを磁気記録再生装置に巻き取る装置側リールの磁気テープ巻き取り構造であって、前記磁気テープの先端に、複数本の線体からなるリーダーを介してリーダーピンが接合されてなり、前記装置側リールのハブの外周面に、前記リーダーを収容する溝が円周方向に形成されているようにすることで、磁気テープが装置側リールに巻き取られる際に、リーダーが溝に収容され、リーダーが装置側リールの外周面から突出しなくなる。これにより、段差や盛り上がりがさらに生じ難くなり、テープ写りがより確実に軽減されることになる。
【００１１】
【発明の実施の形態】
以下、本発明に係る磁気テープカートリッジの好適な実施の形態を図面を参照して詳細に説明する。
図１は本発明に係る磁気テープカートリッジの斜視図、図２は図１に示したリーダーの拡大正面図である。
【００１２】
図１に示すように、磁気テープカートリッジ１００は、上ケース２１ａと下ケース２１ｂとがビス等により締結されてなるカートリッジケース２１内に、磁気テープ２３を巻装した単一のカートリッジ側リール２５を回動可能に収容している。カートリッジ側リール２５に巻回された磁気テープ２３の繰り出し側先端には、後に詳述するリーダー２７を介してリーダーピン２９が固着されている。
【００１３】
カートリッジケース２１の一側壁には、磁気テープ２３を引き出すための開口部２１ｃが形成され、この開口部２１ｃは図示しない弾性手段で閉方向に付勢されたスライドドア３１により開閉される。また、磁気テープカートリッジ１００はその不使用時に磁気テープ２３及びリーダー２７がカートリッジ側リール２５に巻き込まれた状態で、先端のリーダーピン２９が、開口部２１ｃの近傍に形成された凹状の格納部２１ｄに係止される。
【００１４】
また、下ケース２１ｂの中心部には図示しない磁気記録再生装置の駆動軸によってカートリッジ側リール２５を回転駆動するためのセンター穴が開口され、カートリッジ側リール２５の中心部には、その外周部に回転駆動手段のドライブギヤと噛合するリールギヤが刻設されている。
【００１５】
リーダーピン２９は、磁気テープカートリッジ１００を使用する後述の磁気記録再生装置３３（図３参照）が磁気テープ２３を装置内のテープ走行路に導入するために保持して引き込むテープローディング用のものであり、このリーダーピン２９は磁気テープ２３の先端に延出して接合されたリーダー２７の先端に締結等によって固着される。
【００１６】
このリーダーピン２９は、図２に示すように、リーダー２７の先端部を締結する軸部３５を中央に有し、この軸部３５の上下両側に板状のフランジ部３７ａ、３７ｂが設けられ、さらにフランジ部３７ａ，３７ｂの軸部３５端部方向にそれぞれ記録再生装置側から係合保持される係合部３９ａ，３９ｂがそれぞれ軸方向に延びて形成され、軸部３５の両端にはケース固定用の固定部４１ａ，４１ｂが形成されている。
【００１７】
リーダーピン２９は、リーダー２７を介して磁気テープ２３を先導して磁気記録再生装置に引き出す。ここで、リーダー２７は、複数本（本実施の形態では２本）の繊維状の線体４３からなる。線体４３の基端は、磁気テープ２３の先端に、この場合では上縁４５ａと下縁４５ｂに沿うようにして固着される。この固着方法としては、スプライス４７の他、接着剤又は熱圧着により行うことができる。
【００１８】
磁気テープ２３の上下縁４５ａ，４５ｂに基端が固着された線体４３は、上下縁４５ａ，４５ｂに対して平行に延出され、その先端がリーダーピン２９の軸部３５の上下端に締結される。なお、締結部の軸線方向の移動を規制する目的で、軸部３５に直径方向に貫通する図示しない貫通孔を穿設し、この貫通孔に線体４３を挿通して締結を行ってもよい。また、締結部は接着剤等によってさらに固着してもよい。
【００１９】
線体４３の材質としては、例えば高強度のアラミド繊維であるデュポン社製のＫＥＶＬＡＲ（登録商標）を好適に用いることができる。この種のアラミド繊維を用いることで、カーボン繊維では実現できない折り曲げに対する強度を高めることができる。そして、線体４３は、φ５〜２０μｍの太さを有することが好ましい。これにより、線体４３の上に巻かれる磁気テープ２３に段差や盛り上がりを生じ難くし、かつ線体４３に所要の強度が確保可能となる。
【００２０】
上記構成の磁気テープカートリッジ１００は、例えば図３に記録再生装置の概略構成例を表す平面図を示すように、磁気記録再生装置３３に装填され、装填と同時にスライドドア３１が開作動されて開口部２１ｃが開かれる。リーダーピン２９は、装置内に設置されたリーダーブロック５１が移動してカートリッジケース２１の開口部２１ｃ内に進入し係合保持される。その後、リーダーブロック５１は、リーダー２７を磁気テープ２３と共に引き出しつつテープ走行路に沿って移動させ、内部に設置された装置側リール５３のハブに嵌着させる。
【００２１】
上記テープ走行路には磁気ヘッド５５が配設されると共に、その両側には複数のテープガイド５７が配設されている。そして、装置側リール５３の回転駆動により磁気テープ２３が磁気ヘッド５５に摺接しつつ走行し、磁気記録再生が行われる。
【００２２】
このようにして、磁気テープカートリッジ１００から引き出された磁気テープ２３を巻き取る装置側リール５３の磁気テープ巻き取り構造においては、図４に装置側リールの拡大斜視図を示すように、装置側リール５３のハブの外周面５９に、リーダーブロック５１を収容する切り欠き部５４から、リーダー２７を収容する溝６１が円周方向に沿って形成されている。
【００２３】
従って、リーダー２７の線体４３は、リーダーピン２９がリーダーブロック５１に保持され、磁気テープ２３が装置側リール５３に巻き取られる際に、図５にリーダーブロック５１を装置側リール５３の切り欠き部５４に挿入した様子を示すように、リーダー２７の各線体４３が各溝６１に収容される。このため、図５（ｂ）に図５（ａ）のＡ部における軸方向断面、図５（ｃ）にＢ部における軸方向断面を示すように、線体４３が装置側リール５３の外周面５９から突出しなくなる。これにより、溝６１を設けない場合に生じ易かったリーダーブロック５１から外周面５９への導出部における線体４３の盛り上がりが生じ難くなり、テープ写りがより確実に軽減される。
【００２４】
このように、上記構成の磁気テープカートリッジ１００によれば、磁気テープ２３を先導して磁気記録再生装置３３に引き出すリーダー２７が複数本の線体４３からなり、また、装置側リール５３の外周面５９に線体４３に対応して溝６１を設けることにより、従来のように磁気テープより厚いリーダーテープを使用する場合に比べ、段差や盛り上がりが生じ難くなる。これにより、テープ写りが軽減されることになる。
【００２５】
なお、本実施形態では、線体４３が２本である場合を例に説明しているが、線体４３は、３本以上の複数本であっても良い。また、線体４３は、磁気テープの上下縁４５ａ，４５ｂに平行となるように延出されるものに限らず、装置側リールの外周面５９に線体４３を収容する溝を対応させて設ければ、任意の形態に延出させることができる。
【００２６】
【発明の効果】
以上詳細に説明したように、本発明に係る磁気テープカートリッジによれば、磁気テープの先端に、磁気テープを先導して磁気記録再生装置に引き出されるリーダーピンがリーダーを介して接合されてなり、このリーダーが複数本の線体からなるので、従来のように磁気テープより厚いリーダーテープを使用する場合に比べ、段差や盛り上がりが生じ難くなり、当該部分が磁気テープに写ってしまう所謂テープ写りが軽減でき、これに起因するドロップアウト等を軽減することができるようになる。
【図面の簡単な説明】
【図１】本発明に係る磁気テープカートリッジの斜視図である。
【図２】図１に示したリーダーの拡大正面図である。
【図３】記録再生装置の概略構成を表す平面図である。
【図４】図３に示した装置側リールの拡大斜視図である。
【図５】リーダーブロックを装置側リールの切り欠き部に挿入した様子（ａ）と、Ａ部における軸方向断面（ｂ）と、Ｂ部における軸方向断面を示す説明図である。
【図６】従来の磁気テープカートリッジの斜視図である。
【図７】従来の装置側リールに生じる磁気テープの段差を示す説明図である。
【符号の説明】
２１…カートリッジケース
２３…磁気テープ
２５…カートリッジ側リール
２７…リーダー
２９…リーダーピン
３３…磁気記録再生装置
４３…線体
５３…装置側リール
５９…外周面
６１…溝
１００…磁気テープカートリッジ
【図１】
2004171707.tif 000003
【図２】
2004171707.tif 000004
【図３】
2004171707.tif 000005
【図４】
2004171707.tif 000006
【図５】
2004171707.tif 000007
【図６】
2004171707.tif 000008
【図７】
2004171707.tif 000009